(57)【要約】  本発明は、受信信号から雑音による損失が最小の状態で情報を抽出するための方法およびシステムである。このシステムは、受信信号とウェーブレット関数を相関させ、かつ、ウェーブレット分解係数を生成する変換器と、受信信号に応答して、信号のタイプに基づいて所定の閾値を適用する閾値回路とを備えている。また、このシステムは、受信信号を雑音を減らして復元する変更ウェーブレット係数を生成するための、変換器および閾値回路に結合された、閾値回路によって適用される閾値を使用して変換器によって生成されるウェーブレット分解係数を変更するフィルタも備えている。
2005516438.tif 000002
【特許請求の範囲】
【請求項１】
受信信号とウェーブレット関数を相関させ、かつ、ウェーブレット分解係数を生成する変換器と、
該受信信号に応答して、信号のタイプに基づいて所定の閾値を適用する閾値回路と、
該受信信号を雑音を減らして復元する変更ウェーブレット係数を生成するための、該変換器および該閾値回路に結合された、該閾値回路によって適用される閾値を使用して該変換器によって生成される該ウェーブレット分解係数を変更するフィルタと、
を備えた該受信信号から雑音による損失が最小の状態で情報を抽出する減雑音回路、を有する通信システムのための受信機。
【請求項２】
復調信号を生成するための、前記減雑音回路から出力される復元低雑音信号を復調する復調器と、
該復調器と結合した、前記閾値回路に信号測定値を出力する復調信号プロパティ・コレクタと、をさらに備え、
前記閾値回路が、所定の範囲外にある前記コレクタから出力される信号測定値に応答して、前記適用閾値を調整する回路を有する、請求項１に記載の受信機。
【請求項３】
前記閾値回路が、
所定の初期閾値を記憶する第１のメモリ素子と、
信号測定値と前記所定の範囲とを比較し、かつ、適用閾値に対する調整量を決定する第２のメモリ素子とを有し、前記所定の範囲は信号のタイプに基づいて決まるものである、請求項２に記載の受信機。
【請求項４】
前記減雑音回路が、前記フィルタに結合された、受信信号を前記フィルタからの変更ウェーブレット係数に応答して復元し、かつ、復元した信号を前記復調器に出力する逆変換器、をさらに備える請求項３に記載の受信機。
【請求項５】
前記受信信号から回復された情報を含んだ復調信号を生成するための、前記減雑音回路から出力される復調低雑音信号を復調する復調器をさらに備える、請求項１に記載の受信機。
【請求項６】
前記減雑音回路が、前記フィルタに結合された、受信信号を前記フィルタからの変更ウェーブレット係数に応答して復元し、かつ、復元した信号を前記復調器に出力する逆変換器、をさらに備える請求項５に記載の受信機。
【請求項７】
受信信号とウェーブレット関数を相関させ、かつ、ウェーブレット分解係数を生成する工程と、
該受信信号のタイプを決定する工程と、
受信信号のタイプに基づいて所定の閾値を適用する工程と、
該受信信号を雑音を減らして復元する変更ウェーブレット係数を生成するために、該適用される所定の閾値を使用して該ウェーブレット係数を変更する工程と、
から成る、受信した通信信号を雑音による損失が最小の状態で処理する方法。
【請求項８】
前記変更ウェーブレット係数に応答して前記受信信号を復元する工程と、
前記受信信号から回復された情報を含んだ復調信号を生成するための、復元された受信信号を復調する工程と、からさらに成る請求項７に記載の方法。
【請求項９】
復調信号を生成するために復元低雑音信号を復調する工程と、
前記復調信号の信号測定値を収集する工程と、
前記ウェーブレット係数の変更を調整するために、所定の範囲外にある収集した信号測定値に応答して前記適用閾値を調整する工程と、からさらに成る請求項７に記載の方法。
【請求項１０】
前記変更ウェーブレット係数に応答して前記受信信号を復調する工程と、
前記信号測定値と前記所定の範囲とを比較し、かつ、前記適用閾値に対する調整量を決定する工程と、前記所定の範囲は信号のタイプに基づいて決まるものであることと、からさらに成る請求項７に記載の方法。
【請求項１１】
受信信号から雑音による損失が最小の状態で情報を抽出する受信機の減雑音回路であって、
該受信信号とウェーブレット関数を相関させ、かつ、ウェーブレット分解係数を生成する変換器と、
該受信信号に応答して、信号のタイプに基づいて所定の閾値を適用する閾値回路と、
該受信信号を雑音を減らして復元する変更ウェーブレット係数を生成するための、該変換器および該閾値回路に結合された、該閾値回路によって適用される閾値を使用して該変換器によって生成される該ウェーブレット分解係数を変更するフィルタと、を備える減雑音回路。
【請求項１２】
前記減雑音回路が、復調信号を生成するための、前記減雑音回路から出力される復元低雑音信号を復調する復調器、および
該復調器と結合した、前記閾値回路に信号測定値を出力する復調信号プロパティ・コレクタ、のそれぞれと結合し、
前記閾値回路が、所定の範囲外にある前記コレクタから出力される信号測定値に応答して前記適用閾値を調整する回路を有する、請求項１１に記載の減雑音回路。
【請求項１３】
前記閾値回路が、
所定の初期閾値を記憶する第１のメモリ素子と、
信号測定値と前記所定の範囲とを比較し、かつ、適用閾値に対する調整量を決定する第２のメモリ素子と、を有し、前記所定の範囲は信号のタイプに基づいて決まるものである、請求項１２に記載の減雑音回路。
【請求項１４】
前記フィルタに結合された、受信信号を前記フィルタからの変更ウェーブレット係数に応答して復元し、かつ、復元した信号を前記復調器に出力する逆変換器、をさらに備える請求項１４に記載の減雑音回路。
【発明の詳細な説明】
【技術分野】
【０００１】
本発明は一般に受信システムに関し、より詳細には実時間ウェーブレット減雑音アプリケーションのための受信機システムにおける信号プロセッサに関する。
【背景技術】
【０００２】
通信システム、レーダ・システム、ソナー・システム等は、特定の信号の存在を検出するために使用される受信機と、信号に含まれている送信情報を抽出するための信号プロセッサとを有している。この種の多くのシステムが抱えている問題は、雑音およびクラッタが存在する中で受信信号を検出し、検出した受信信号から、雑音およびクラッタによる損失が最小の状態で情報を抽出することである。
【０００３】
現在のシステムでは、受信機の信号プロセッサに、減雑音方式が使用されている。詳細には、現在のシステムには、受信信号を減雑音するためにウェーブレット技法が使用されている。減雑音には、多重分解能および完全な復元を始めとするウェーブレットの重要な特性が利用されている。ウェーブレット理論では、時間が経つと変化するスケールおよび位置における、より単純な一定のビルディング・ブロックによって一般関数を表現する必要がある。
【０００４】
ウェーブレット変換の主な目的は、信号に含まれている情報を、異なるスケールの特性に分解することである。これは、入力波形を単位時間に渡って、時間が経つと変化する分解能、周波数あるいはスケールで記述する手段と見なすことが可能である。この信号分解技法は、離散ウェーブレット変換を使用して実行される。多重スケール・ウェーブレット表現より勝る入力信号分解の本質的な利点は、変換ウェーブレット関数に相関させるべく設計する自由度を所望の信号が有しており、したがって非信号様フィーチャのプロパティについては変換関数に相関させる必要がないことである。したがって、ウェーブレット領域に信号が存在している場合、その信号は、大きな係数によって明確に表現され、一方、望ましくない信号は、はるかに小さい係数で表現され、かつ、一般的にはすべてのウェーブレット分解スケールに渡って一様に分散される。したがって、ソフト・ルール、ハード・ルールあるいは勾配閾値ルールなどの何らかのルールによってウェーブレット変換出力が閾値関数を通過すると、ウェーブレット係数セットから雑音様係数をすべてのスケールに渡って除去することが可能である。変更ウェーブレット係数が逆ウェーブレット変換を介して時間領域に再変換されると、所望の信号に対応する係数は、雑音係数が除去された状態を維持するか、あるいは雑音係数があまり強調されない状態を維持する。復元された波形は、減雑音波形と見なすことが可能であり、したがってより品質の高い波形と見なすことが可能である。
【０００５】
現行のウェーブレット減雑音アルゴリズムは、受信信号の統計に基づいてウェーブレット分解スケールに特有の減雑音閾値を選択している。ｔを計算するために使用される統計量には、次の式１および２に示すように、入力サンプルの数［Ｎ］、雑音標準偏差［σ］および相関係数［σｊ、δＬ、Φ、ＫＮ］がある。
【０００６】
【数１】
2005516438.tif 000003
式１は、閾値式に相互相関係数を包含することにより、直交ではなく、したがって相関ＤＷＴ係数を生成するウェーブレット分解に拡張することが可能である。これは、δＬ、Φが非直交ウェーブレット係数のｊ番目のスケールの相互相関であり、ＫＮがスケール依存型データ・セットのサイズである、
【０００７】
【数２】
2005516438.tif 000004
で表される。
統計量に偏りがないほど、より最適で、かつ、より信頼性の高い減雑音性能の閾値化解決法が提供される。したがって統計量の信頼性は、その統計量が由来するデータ・セットの品質およびサイズによって制限されている。信頼性が高く、かつ、偏りのない統計要求には、当然のことながらより大量のデータ・セットが必要であり、したがってより大量のメモリが必要である。したがって前記データ・セットを記憶し、管理するためには、高度に複雑なデータ処理の問題を解決しなければならない。
【０００８】
現行システムにおけるもう１つの複雑な問題は、広域統計量対局所統計量の使用の決定である。したがって統計量が由来するデータ・セットの境界は、単一加入者からの単一通信バーストなどの微小パケット・スケールか、あるいは加入者サービング・グループ若しくは多重搬送ケーブル通信システムまたは無線通信システムに見られるような時間可変単一加入者通信のコングロマリット統計量などのシステム・レベルの多重パケット・スケールのいずれかを意味している。これらの統計要求は、待ち時間が本質的に無視されるため、待ち時間に敏感なアプリケーションに対しては、高い信頼性あるいは品位で適用することはできない。待ち時間が無視される理由の１つは、減雑音閾値の設定に先立って、完全なデータ・セットの統計量に関する事前知識がアルゴリズムに必要であり、したがってウェーブレット閾値化段階に先立ってデータを解析し、かつ、バッファリングするための余計なステップを実行しなければならないことによるものである。これは、減雑音閾値を最適化する要求によるものである。この場合も、局所統計量対広域統計量を選択する困難性が減雑音性能の信頼性を不安定にしている。また、この困難性は、メモリ、データ処理問題および実時間要求の問題をさらに悪化させている。したがって、偏りのない統計量を導き出すための十分な信号データの必要性が、待ち時間対性能の問題を一層悪化させ、また、実時間通信においては、ひどく長時間に及ぶ処理時間が必要となる。
【０００９】
また、局所統計量と広域統計量の解釈も、誤った結果をもたらす可能性がある。加入者とそのインフラストラクチャの間のバースト通信などの局所統計量の場合、データ・サイズが不十分であるため、その統計的プロパティの信頼性には、その真の特性から逸脱している可能性が大いにあり得る。そのためにウェーブレット減雑音閾値の選択性が乏しく、したがって計算労力のための性能改善には役に立たず、あるいは閾値の過剰予測により、信号が誤って著しくひずむ原因になる。また、許容可能／限界性能が劣化／破壊される。
【００１０】
一方、単一加入者または複数の加入者とそのインフラストラクチャの間の多くのバースト通信のコングロマリットなどの広域統計量も、誤った結果をもたらす可能性がある。通信媒体は、多くの場合、サービング・グループ内における個々の加入者に対して同じ物理経路特性を有し、かつ／または単一加入者／複数の加入者のための時間不変信号方式性能を示すことが可能であると仮定することは不可能である。これらの観点から、局所および広域統計量は、最適統計量には及ばず、また、実時間信号処理アプリケーションには潜在的に極めて信頼性に劣る統計量と見なされている。
【発明の開示】
【発明が解決しようとする課題】
【００１１】
したがって、現行の信号処理手法／技法／アルゴリズムの統計的勾配探索あるいはメモリおよびデータ処理問題の制限なしで、ウェーブレット減雑音技法を利用するための信号処理手法／技法／アルゴリズムが必要である。
【課題を解決するための手段】
【００１２】
本発明は、受信信号から雑音による損失が最小の状態で情報を抽出するための方法およびシステムである。このシステムは、受信信号とウェーブレット関数を相関させ、かつ、ウェーブレット分解係数を生成する変換器と、受信信号に応答して、信号のタイプに基づいて所定の閾値を適用する閾値回路とを備えている。また、このシステムは、受信信号を雑音を減らして復元する変更ウェーブレット係数を生成するための、変換器および閾値回路に結合された、閾値回路によって適用される閾値を使用して変換器によって生成されるウェーブレット分解係数を変更するフィルタを備えている。
【００１３】
以下、本発明について、添付の図面に照らして説明する。図の同一の表示は同一の要素を表している。
【発明を実施するための最良の形態】
【００１４】
以下の詳細な説明は、単に好ましい例示的実施形態を提供したものに過ぎず、本発明の範囲、適用の可能性あるいは構成の制限を意図したものではない。そうではなく、好ましい例示的実施形態についての以下の詳細な説明は、本発明の好ましい例示的実施形態を実施するための使用可能な説明を当業者に提供したものである。特許請求の範囲に示す本発明の精神および範囲を逸脱することなく、エレメントの機能および配列に様々な変更を加えることが可能であることを理解されたい。
【００１５】
図１は、本発明の好ましい実施形態による受信機の信号プロセッサに使用するための減雑音回路１０をブロック図で示したものである。減雑音回路１０は、復調器１５、離散ウェーブレット変換（ＤＷＴ）１２、フィルタ１３、逆離散ウェーブレット変換（ＩＤＷＴ）１４および閾値回路２０を備えている。この減雑音回路１０は、任意のタイプのシステム（すなわち通信、衛星、レーダ等）に使用することが可能である。本発明の例示的実施形態について、ＣＡＴＶ通信システムにおける受信機の信号プロセッサを使用して説明する。図２は、ＣＡＴＶシステムを示したもので、減雑音回路１０を備えた信号プロセッサは、加入者ステーション２１０あるいはヘッドエンド２０５に設置することが可能である。
【００１６】
もう１度図１を参照すると、ＤＷＴ１２は入力信号Ｙｉを受信する。当業者には周知であるように、ＤＷＴは、入力信号ＹｉとＤａｕｂｅｃｈｉｅｓ  ２−２０などのウェーブレット関数を相関させ、入力データのＤＷＴ領域データを生成している。変換の性質のため、汚染入力信号のウェーブレット表現により、大きな係数を生成する雑音中に埋もれている非汚染信号との独自の相関が生成され、一方、その非相関プロパティのため、雑音により、すべての２進スケールに渡ってはるかに小さい値のウェーブレット・ベースの相関エネルギーが分散される。次に、ウェーブレット分解データＳ（Ｊ−Ｊ，Ｏ）、Ｕ（Ｊ−Ｊ，Ｏ）がフィルタ１３に送信される。
【００１７】
フィルタ１３は、上で開示したように、雑音によって表された係数を変更あるいは除去する。これは、ＤＷＴ１２から個々の２進スケール出力に閾値を適用することによって達成される。本発明の好ましい実施形態によれば、閾値回路２０によって閾値が生成される。
【００１８】
閾値回路２０は、フィルタ１３が使用するためのアプリケーション特有の減雑音閾値を記憶する。閾値回路２０は、特定の信号のアプリケーション特有要求の知識を介してウェーブレット減雑音閾値レベルに適応する。ウェーブレット減雑音閾値に適応するために使用されるプロパティは予め決定されており、アプリケーションおよびインプリメンテーションに特有のものとされる。そのようなプロパティには、その信号の必要ダイナミック・レンジ信号対雑音比（ＳＮＲ）、最高−平均、ＦＥＣ性能などの復調プロパティ、時限回復劣化、クロック・ジッタおよび受信中の信号の実時間レベル・オーバ・タイムが含まれる。それらのプロパティは、特定の復調器を実施するべく特有のものとすることが可能であり、また、研究所での測定が可能である。
【００１９】
これらのプロパティを使用してテーブル（図示せず）が生成され、該テーブルはアプリケーション特有信号ニーズを直接ウェーブレット減雑音閾値の境界に相関させる閾値回路２０に記憶される。閾値回路２０に記憶される閾値境界は、アプリケーション特有信号に要求される性能を劣化させることなく適用し得る最大ウェーブレット減雑音閾値を定義する。
【００２０】
上で言及したように、本発明の例示的実施形態は、ＤＯＣＳＩＳ  ＣＡＴＶ通信信号である。当業者には周知のように、ＤＯＣＳＩＳ  ＣＡＴＶ信号は、複数のタイプの通信信号（すなわちＱＰＳＫ、１６ＱＡＭ等）を含むことが可能である。これらの信号の各々は、所与の性能レベルを期待するために実現しなければならない独自のアプリケーション特有要求を有している。これらの要求は、その信号に要求されるＳＮＲ、ＢＥＲ等によって表される。図２に示すＣＡＴＶ通信の例示的ブロック図では、ヘッドエンド２０５に設置されている管理情報基地（ＭＩＢ）（図示せず）は、個々の信号タイプ毎にプロパティを備えており、受信した通信信号に含まれているこの情報を受信機に送信する。加入者２１０は、媒体アクセス制御（ＭＡＣ）チップを使用してこの情報を翻訳する。
【００２１】
ＭＩＢによって送信された情報がＭＡＣチップによって翻訳されると、ＭＡＣは、受信機が受信した信号のタイプに関連するプロパティを閾値回路２０に送信する。閾値回路２０は、ＭＡＣチップから情報を受け取り、フィルタ１３が使用すべき閾値を選択する。この閾値は、雑音を表すウェーブレット分解係数を除去するか、あるいはウェーブレット分解係数があまり強調されないような方法で選択される。したがって、雑音ウェーブレット係数が最小化された非汚染入力信号を汚染の少ない状態で復元することが可能であるため、信号対雑音比が増大する。閾値が得られると、入力信号で処理するべくフィルタ１３に送信される。
【００２２】
上で言及したように、フィルタ１３は、閾値回路２０によって送信された生成閾値を使用してウェーブレット分解係数を変更し、あるいは除去する。変更ウェーブレット係数
【００２３】
【数３】
2005516438.tif 000005
は、次にＩＤＷＴ１４を通過する。当業者には周知のように、ＩＤＷＴ１４は、２進分解スケール全体に渡って変更データを再整列させ、その出力部に信号プロセッサによる受信信号の最良予測値を生成する。次に、ＩＤＷＴ１４の出力信号が復調器１５に送信され、復調器１５で通信信号を介して送信中のデータが回復される。
【００２４】
図３は、減雑音回路１０の流れ図を示したものである。受信機の減雑音回路１０がＣＡＴＶ通信信号を受信する（ステップ１０１）。受信信号をＤＷＴ１１１が処理し（ステッ
プ１０２）、変換信号をフィルタ回路１１２に送信する（ステップ１０３）。受信信号に含まれている信号タイプ情報をＭＡＣチップが受け取り（ステップ１０４）、該情報を閾値回路２０に送信する（ステップ１０５）。閾値回路２０は、受け取った情報を使用して、受信信号に関連する所定の閾値を取得し（ステップ１０６）、取得した閾値をフィルタ回路１３に送信する（ステップ１０７）。フィルタ回路１３は、閾値を受け取ると、変換された受信信号から閾値を使用して雑音を除去する（ステップ１０８）。フィルタされた受信信号をＩＤＷＴ１４に送信する（ステップ１０９）。次に、ＩＤＷＴ１４が受信信号を復元し（ステップ１１０）、受信信号を介して通信中のデータを抽出するべく（ステップ１１２）、復元した信号を復調器１５に送信する（ステップ１１１）。
【００２５】
上で開示した減雑音回路１０により、いかなる実時間信号処理システムも、多重レートおよび多重モードの通信システムが存在する通信チャネルにおけるバーストおよび熱雑音劣化に対する頑強性を維持することが可能である。また、本発明により、頑強な信頼性のためには十分な統計量を必要とする信号局所統計量あるいは広域統計量に基づいて閾値を決定する必要がなくなり、実時間アプリケーションの要求が前もって排除される。
【００２６】
図４は、受信機の信号プロセッサに使用するための減雑音回路１０の代替実施形態を示したものである。この代替減雑音回路１００は、ＤＷＴ１１１、フィルタ回路１１２、ＩＤＷＴ１１３、復調器１１４、コレクタ１１５および閾値回路１１０を備えている。上で開示した減雑音回路１０と同様、受信信号は、ＤＷＴ１１１によって変換され、フィルタ回路１１２に送信される。フィルタ回路１１２は、閾値回路１１０によって送信される閾値を利用して、受信信号に存在している雑音を除去する。
【００２７】
この代替実施形態によれば、閾値回路１１０は、複数のメモリ素子、例えば２個のメモリ素子１０２、１０３およびメモリ素子セレクタ１０４を備えている。図には２個のメモリ素子が示されているが、任意の数のメモリ素子を使用することが可能であることは明らかであろう。好ましい実施形態で開示した閾値回路２０と同様、第１のメモリ素子１０２には、アプリケーション特有信号タイプに関連する所定の閾値が含まれている。第１のメモリ素子１０２は、通信信号を受信すると、特定のアプリケーションに関連する閾値を取得し、取得した閾値をセレクタ１０４に送信する。
【００２８】
メモリ・セレクタ１０４は、最初に、複数のメモリ素子１０２、１０３のうちのどのメモリ素子から閾値を取得するかを決定する。セレクタ１０４は、取得する閾値が受信信号を初期減雑音するためのものであるかどうかを決定する。この決定を成すには多くの方法を使用することが可能である。例示的方法では、ＭＡＣチップ１０１によって生成される、受信機が元々その信号を受信しているかどうか、あるいは受信機がその信号を連続的に受信しているかどうかを表す信号が使用する。前者の場合、セレクタ１０４は、第１のメモリ素子１０２から閾値を受け取り、後者の場合、セレクタ１０４は、元々は第１のメモリ素子１０２と同じである第２のメモリ素子１０３から閾値を受け取る。
【００２９】
セレクタ１０４は、フィルタ回路１１２に閾値を送信している。上で開示したように、フィルタ１１２は、受信信号に存在している雑音を除去し、フィルタされた出力をＩＤＷＴ１１３に送信する。ＩＤＷＴ１１３は、この場合も、受信信号を雑音の無い状態で復元し、復元した信号を復調器１１４に送信する。
【００３０】
復元信号が復調されると、コレクタ１１５は、復調器１１４のプロパティ（すなわちＢＥＲ、ＳＮＲ等）を決定する。これらのプロパティは、次に第２のメモリ素子１０３に送信される。メモリ素子１０３は、コレクタ１１５によって送信されるプロパティとフィルタ１１２が利用する閾値に関連するプロパティとを比較し、比較したプロパティの差が所定の値より大きい場合、第２のメモリ素子１０３は、その差に基づいて関連する閾値を調
整することが可能である。このプロパティの差に基づく閾値の調整は、多くの方法で達成することが可能である。この調整を決定する方法は、この代替実施形態とは密接な関係はなく、したがって調整を決定する方法についての詳細な説明は、本明細書においては開示しない。
【００３１】
第２のメモリ素子１０３が閾値を調整すると、その値がセレクタ１０４に送信され、かつ、処理のためにフィルタ１１２に出力される。復調器１１４のプロパティと第２のメモリ素子１０３に記憶されているプロパティが、復調器１１４のプロパティが所定の範囲に入るまで、あるいは失敗条件（failed condition）に遭遇するまでコレクタ１１５によって比較され、失敗条件に遭遇した場合、受信信号を再送信するか、あるいは受信信号に使用されるスペクトルに使用不可のマークを施さなければならない。
【００３２】
図５および６は、この代替実施形態による減雑音回路１００の流れ図を示したものである。受信機の減雑音回路１００がＣＡＴＶ通信信号を受信する（ステップ５０１）。受信信号をＤＷＴ１１１が処理し（ステップ５０２）、変換信号をフィルタ回路１１２に送信する（ステップ５０３）。受信信号に含まれている信号タイプ情報をＭＡＣチップが受け取り（ステップ５０４）、該情報を閾値回路１１０に送信する（ステップ５０５）。第１のメモリ素子１０２は、受け取った情報を使用して、受信信号に関連する所定の閾値を取得し（ステップ５０６）、取得した閾値をフィルタ回路１１２に送信する（ステップ５０７）。フィルタ回路１１２は、閾値を受け取ると、閾値を使用して、変換された受信信号から雑音を除去する（ステップ５０８）。フィルタされた受信信号をＩＤＷＴ１１３に送信する（ステップ５０９）。次に、ＩＤＷＴ１１３が受信信号を復元し（ステップ５１０）、復元した信号を復調器１１４に送信する（ステップ５１１）。復元された信号に対する復調器プロパティをコレクタ１１５が計算し（ステップ５１２）、計算した復調器プロパティを閾値回路１１０に送信する（ステップ５１３）。
【００３３】
第２のメモリ素子１０３は、計算された復調器１１４のプロパティを受信すると、計算された復調器プロパティと所定の復調器プロパティを比較する（ステップ５１４）。これらの値の差が所定の閾値より大きく、かつ、まだ失敗条件に遭遇しない場合、受信信号に関連する閾値を第２のメモリ素子１０３が調整し（ステップ５１５）、処理のためにこれらの調整値を１０４を介してフィルタ１１２に送信する（ステップ５０７）。ステップ５１４で２つのプロパティの差が所定の閾値内であり、かつ、失敗条件に遭遇した場合、受信信号からデータを抽出する（ステップ５１５）。失敗条件に遭遇した場合、減雑音回路は工程を繰り返す（ステップ５０１）。
【００３４】
以上、本発明の原理について、特定の装置に関連して説明したが、以上の説明が単なる実施例に過ぎず、本発明の範囲を何ら制限するものではないことは明らかである。
【図面の簡単な説明】
【００３５】
【図１】本発明の好ましい実施形態による受信機の信号プロセッサに使用するための減雑音回路のブロック図。
【図２】ＣＡＴＶ通信システムの例示的ブロック図。
【図３】本発明の好ましい実施形態による減雑音回路の流れ図。
【図４】本発明の減雑音回路の代替実施形態のブロック図。
【図５】本発明の代替実施形態による減雑音回路の流れ図。
【図６】本発明の代替実施形態による減雑音回路の流れ図。
【図１】
2005516438.tif 000006
【図２】
2005516438.tif 000007
【図３】
2005516438.tif 000008
【図４】
2005516438.tif 000009
【図５】
2005516438.tif 000010
【図６】
2005516438.tif 000011
【国際調査報告】
2005516438.tif 000012
2005516438.tif 000013